(57)【要約】      （修正有）【課題】異なる長さの多段定位制御能力を達成するリール器構造を提供する。【解決手段】本構造は、上蓋１、回旋ばね２、巻き取りスプール３、定位珠４、リード線５、回路板６、下蓋７、からなる。回旋ばね２の中心端２１は、上蓋１が延伸する中軸１１のスロット１１１内に嵌合され、外端は、フック２２により巻き取りスプール３の盤壁嵌槽３１に嵌固され、回旋ばね２は、巻き取りスプール３が正転、或いは、反転するかによって、締める、緩めるの二種の状態を形成して、リード線５を巻く、復位させる主要な力を提供する。巻き取りスプール３は、頂部フレーム３２、盤槽３３、及び、底フレーム３４からなり、巻き取りスプール頂部フレーム３２内に形成される空間で、回旋ばね２の巻く、緩める機能を提供する。【選択図】図２
0003147073.tif 000002
【実用新案登録請求の範囲】
【請求項１】
リール器構造であって、上蓋、回旋ばね、巻き取りスプール、定位珠、リード線、回路板、及び、下蓋からなり、
上蓋は、延伸する中軸が前記巻き取りスプールの中孔を貫通し、前記下蓋の固定ベースの固定置槽内に配置され、且つ、前記中軸が開設するスロットは、前記回旋ばね中心端を嵌合し、
回旋ばねは、前記巻き取りスプールの頂部フレームが形成する空間内に配置し、中心端により前記上蓋中軸のスロットに嵌合され、外側は、フックにより前記巻き取りスプールの盤壁嵌槽に嵌合され、前記回旋ばねは、前記巻き取りスプールの正転、或いは、反転時によって、締める、緩めるの二種の機能状態を形成し、同時に、前記リード線を復位する主要な力となり、
巻き取りスプールは、中孔を有し、前記上蓋中軸が貫通し、主体は、頂部フレーム、盤槽、及び、底フレームからなり、前記頂部フレーム内に形成される空間は前記回旋ばねを置入し、前記頂部フレームと前記底フレーム間に形成される盤槽空間は前記リード線を環繞し、前記底フレームが形成する空間は、正極と負極の導電弾性片を収納する以外に、双環状のリード線固定槽を設置し、次に、前記底フレームは凹槽を有し、前記凹槽面はマルチトラックを有し、前記マルチトラック中は制限端を有し、固定ベースと、「被覆と制限性」のある特有構造を構成し、
定位珠は、前記巻き取りスプール底フレーム凹槽面に設けられたトラック構造と前記下蓋固定ベース面の制限槽間に位置し、前記定位珠は、前記固定ベース面の制限槽内だけで、往復方式で移動し、
リード線は、前記巻き取りスプールの盤槽に環繞され、前記リード線の開始端を前記巻き取りスプールの底フレーム空間に進入させ、双環状リード線の固定槽により固定され、導出槽口から前記リード線の正、負極を引き出して、固置された正、負極の導電弾性片と接合して、電源導通の主要接合点となり、
回路板は、枢槽を有して、前記下蓋に設けられた固定ベースに定位され、正、負極圏により、それぞれ、前記巻き取りスプール底フレームの正、負極導電弾性片と、対応する常態圧接合を形成し、
下蓋は、突起式固定ベースにより前記回路板を定位させ、前記固定ベースは、前記巻き取りスプールの底フレームの凹槽の配置以外に、制限槽を設置し、中央は、開設された固定置槽により前記上蓋に中軸を配置することを特徴とするリール器構造。
【請求項２】
前記巻き取りスプールの底フレーム空間に固置された正、負極導電弾性片は、同一同心円ではないことを特徴とする請求項１に記載のリール器構造。
【請求項３】
前記回旋ばね、前記巻き取りスプール、前記定位珠、前記リード線と前記回路板の各素子は、直接、物件内に配置され、物件の上下蓋により、構造の連結を実行して、物件の一部となることができることを特徴とする請求項１に記載のリール器構造。
【考案の詳細な説明】
【技術分野】
【０００１】
本考案は、リール器構造に関するものであって、特に、単一方向で、多段定位し、導体配置構造により、物件が、直接、リール器と導接し、隠蔵されて、物件の一部分となり、各種物件が必要な電源や信号線が、最適に単一方向で引く、縮む、定位する、隠蔵化するリール器構造に関するものである。
【背景技術】
【０００２】
各種電気、コンピュータ周辺機器、或いは、通信機器等の製品に必要な電源、データ、信号伝送線は不可欠な伝送媒介で、これらの設備に必要なデータ伝送、或いは、電源供給線は、往々にして、複数の併用であり、よって、配線と集線において、絡まったり、線が長い、或いは、短いことが不便である。特に、電気製品やコンピュータ、及び、周辺機器を別の場所に運ぶと、配線のやりなおしが非常に面倒である。
【考案の開示】
【考案が解決しようとする課題】
【０００３】
本考案の目的は、リール器の改良構造を提供し、上述の問題を改善することにある。
【課題を解決するための手段】
【０００４】
本考案のリール器構造は、上蓋、回旋ばね、巻き取りスプール、定位珠、リード線、回路板、下蓋、からなる。回旋ばねは巻収されると共に、巻き取りスプールの頂部フレーム空間に収蔵され、巻き取りスプールの盤槽に巻かれるリード線に対応して、反抗力を形成し、リード線の引き伸ばし、巻き収容に必要な力となる。次に、回旋ばね中心端は、上蓋から延伸する中軸スロット内に嵌設され、外端は、フックにより巻き取りスプールの盤壁嵌槽に嵌固されて、回旋ばねは、巻き取りスプールが正転、或いは、反転しているかによって、締める、緩めるの二種の機能状態を形成する。
【考案の効果】
【０００５】
本考案により、異なる長さの多段定位制御能力を達成する。
【考案を実施するための最良の形態】
【０００６】
図１、図２で示されるように、本考案の構造は、上蓋（１）、回旋ばね（２）、巻き取りスプール（３）、定位珠（４）、リード線（５）、回路板（６）、下蓋（７）、からなる。回旋ばね（２）の中心端（２１）は、上蓋（１）が延伸する中軸（１１）のスロット（１１１）内に嵌合され、外端は、フック（２２）により巻き取りスプール（３）の盤壁嵌槽（３１）に嵌固され、回旋ばね（２）は、巻き取りスプール（３）が正転、或いは、反転するかによって、締める、緩めるの二種の状態を形成して、リード線（５）を巻く、復位させる主要な力を提供する。
【０００７】
図３と図５を参照すると、巻き取りスプール（３）は、頂部フレーム（３２）、盤槽（３３）、及び、底フレーム（３４）からなり、巻き取りスプール頂部フレーム（３２）内に形成される空間で、回旋ばね（２）の巻く、緩める機能を提供する。頂部フレーム（３２）と底フレーム（３４）間に形成される盤槽（３３）空間は、リード線（５）を環繞する。底フレーム（３４）が形成する空間は、正極と負極の導電弾性片（５０）を収納する以外に、開設する凹槽（３４１）と凹槽（３４１）が有するトラック構造（３４２）により、下蓋（７）の突起した固定ベース（７１）を被覆し、トラック構造（３４２）と固定ベース（７１）間の定位珠（４）により、「被覆と制限性」のある特有構造を構成する。
【０００８】
次に、上蓋から延伸する中軸（１１）は、巻き取りスプールの中孔（３０）を貫通し、下蓋の固定ベース（７１）に設けられた固定置槽（７０）内に配置される。これにより、上蓋中軸（１１）は、強い旋転力を有する以外に、巻き取りスプール（３）が上蓋中軸（１１）に従って、安定した高速の正、反転運動を実施する。この他、底フレーム凹槽（３４１）面に設けられたトラック構造（３４２）はマルチトラック槽で、トラック槽内は制限端（３４２’）を有し、定位珠（４）は、マルチトラック槽と制限端（３４２’）作動時、制限槽（７１１）中だけで、前後往復運動を実行する。よって、リード線（５）が巻き取りスプール（３）を一巻きする毎に、制限端（３４２’）と制限槽（７１１）両者が交互に作動して、一次定位メカニズムを生成し、リード線（５）を引く長さが定位メカニズムを超える時、次の巻きにより定位メカニズムを再度形成し、リール器（１０）のリード線（５）は、多段の引合と定位効果を有する。
【０００９】
図４を参照すると、巻き取りスプール（３）の盤槽（３３）内に環繞するリード線（５）は、リード線（５）の開始端により穿合すると共に、巻き取りスプール（３）の底フレーム（３４）空間内に進入し、底フレーム（３４）に設けられた双環状リード線固定槽（３４３）により固定され、導出槽口（３４４）からリード線（５）の正、負極を引き出して、固置された正、負極の導電弾性片（５０）と接合して、電源導通の主要接合点となる。次に、前述の正、負極導電弾性片（５０）の固置位置は、同一同心円上ではないので、回路板（６）に対応する時、丁度、面に設けられた（内、外）の正、負極圏（６１）により、対応する常態圧接合を構成し、リード線（５）が、巻き取りスプール（３）の旋転による巻き、収合の動作に影響せず、常に、電源、或いは、信号が導通状態を維持することができる。
【００１０】
図２と図５を再度参照すると、回路板（６）は枢槽（６２）を有して、下蓋（７）に設けられた固定ベース（７１）に定位され、正、負（内外）極圏（６１）により、それぞれ、巻き取りスプール底フレーム（３４）の正、負極導電弾性片（５０）と、対応する常態圧接合を形成し、リード線（５）により引き出し、巻収し、電源、或いは、信号を、リード線（５）により伝送することができる。
【００１１】
次に、回路板（６）は、リール器（１０）と物件両者間の電源、或いは、信号導接の主要素子であり、主に、回路板（６）延伸端（６３）は、導接線（６４）、或いは、物件導線により、直接、回路板（６）と、電源、或いは、信号連接を完成し、物件とリール器（１０）両者を導通させる。これにより、本考案のリール器（１０）は、物件に内蔵されるか、物件の一部になる。
【００１２】
最後に、本考案の精神を逸脱しない原則下で、回旋ばね（２）、巻き取りスプール（３）、定位珠（４）、リード線（５）と回路板（６）の各素子は、直接、物件内に配置され、物件の上下蓋により、構造の連結を実行して、物件の一部となることができる。
【図面の簡単な説明】
【００１３】
【図１】本考案の好ましい実施例による外観使用図である。
【図２】本考案の構造分解図である。
【図３】本考案の巻き取りスプールの反置状の立体構造図である。
【図４】本考案の巻き取りスプールの反置状の平面構造図である。
【図５】本考案の全体断面構造図である。
【符号の説明】
【００１４】
上蓋（１）
中軸（１１）
スロット（１１１）
回旋ばね（２）
中心端（２１）
フック（２２）
巻き取りスプール（３）
中孔（３０）
盤壁嵌槽（３１）
頂部フレーム（３２）
盤槽（３３）
底フレーム（３４）
凹槽（３４１）
トラック構造（３４２）
制限端（３４２’）
定位珠（４）
リード線（５）
導電弾性片（５０）
回路板（６）
正、負極圏（６１）
枢槽（６２）
延伸端（６３）
導接線（６４）
下蓋（７）
固定置槽（７０）
固定ベース（７１）
制限槽（７１１）
【図１】
0003147073.tif 000003
【図２】
0003147073.tif 000004
【図３】
0003147073.tif 000005
【図４】
0003147073.tif 000006
【図５】
0003147073.tif 000007